(57)【要約】【課題】  フィルタを簡単な構成で自動的に清掃できるようにする。【解決手段】  ファンの回転により吸気ダクト１５を介して空気を吸気し、この吸気した空気を吸気ダクト１５に一部を隣接する排気ダクト１６を介して排気する給排気装置において、吸気ダクト１５及び排気ダクト１６の隣接部分に設けられ、吸気ダクト１５によって吸気される空気中の塵埃を捕獲するフィルタ５３と、この塵埃を捕獲したフィルタ５３を吸気ダクト１５から排気ダクト１６側に移動させてフィルタ５３の塵埃を排気動圧により除去させる回転板５２とを具備する。【選択図】      図７
2008281238.tif 000002
【特許請求の範囲】
【請求項１】
ファンの回転により吸気ダクトを介して空気を吸気し、この吸気した空気を前記吸気ダクトに一部を隣接する排気ダクトを介して排気する給排気装置において、
前記吸気ダクト及び前記排気ダクトの隣接部分に設けられ、前記吸気ダクトによって吸気される空気中の塵埃を捕獲するフィルタと、
この塵埃を捕獲したフィルタを前記吸気ダクトから前記排気ダクト側に移動させて前記フィルタの塵埃を排気動圧により除去させる移動手段と、
を具備することを特徴とする給排気装置。
【請求項２】
前記移動手段は回転体を備え、この回転体に前記フィルタを有し、前記回転体の回転により前記フィルタを前記吸気ダクトと前記排気ダクトとの間で移動させることを特徴とする請求項１記載の給排気装置。
【請求項３】
前記回転体の回転により前記フィルタが前記排気ダクトから前記吸気ダクトに移動する際に、前記フィルタをブラッシングするクリーニングブラシを備えたことを特徴とする請求項２記載の給排気装置。
【発明の詳細な説明】
【技術分野】
【０００１】
本発明は、たとえば、空気調和機の室内機に備えられる給排気装置に関する。
【背景技術】
【０００２】
この種の給排気装置には、吸気経路と排気経路を備え、ファンの回転により吸気経路を介して外気を吸気し、排気経路を介して室内空気を排気するものがある。また、吸気経路の室外開口部側はフィルタによって塞がれ、屋外からの塵埃（昆虫なども含む）の進入を防止するようになっている。
【０００３】
ところで、給排気動作が継続されると、フィルタには塵埃が蓄積されて吸気量が低下し良好な給排気が期待できなくなるため、フィルタは定期的に清掃する必要がある。
【０００４】
そこで、従来においては、吸気経路と排気経路を切り替えて塵埃が蓄積されたフィルタ側に排気流を流してその排気動圧によって塵埃を吹き飛ばして除去するようにしている（例えば、特許文献１参照。）。
【特許文献１】特開平１１−２９４８２１号公報
【発明の開示】
【発明が解決しようとする課題】
【０００５】
しかしながら、従来においては、吸気経路と排気経路を複数に分岐し、これらの分岐経路の接続を複数の開閉ダンパの動作により切り替えることにより、排気流をフィルタに導いて塵埃を吹き飛ばしていたため、構成的に複雑化し、コスト高になるとともに、メンテナンスも手間取るものとなっていた。
【０００６】
本発明は上記事情に着目してなされたもので、その目的とするところは、簡単な構成でフィルタを自動的に清掃できるようにした給排気装置を提供することにある。
【課題を解決するための手段】
【０００７】
上記課題を解決するため、請求項１記載の発明は、ファンの回転により吸気ダクトを介して空気を吸気し、この吸気した空気を前記吸気ダクトに一部を隣接する排気ダクトを介して排気する給排気装置において、前記吸気ダクト及び前記排気ダクトの隣接部分に設けられ、前記吸気ダクトによって吸気される空気中の塵埃を捕獲するフィルタと、この塵埃を捕獲したフィルタを前記吸気ダクトから前記排気ダクト側に移動させて前記フィルタの塵埃を排気動圧により除去させる移動手段とを具備する。
【発明の効果】
【０００８】
本発明によれば、フィルタを移動するだけで塵埃を除去でき、構成的に簡略化してコストを低減できるとともに、メンテナンスも容易になる。
【発明を実施するための最良の形態】
【０００９】
以下、本発明の実施の形態を図面を参照して詳細に説明する。  
（第１の実施の形態）
図１乃至図３は、本発明の第１の実施の形態である空気調和機の室内機１を示すものである。
【００１０】
室内機１は室内機本体３を有し、この室内機本体３は室内と室外とを仕切る壁２の内側面に取付けられている。室内機本体３の前面部と上面部とには複数の吸込口４が形成されている。室内機本体３の下部には、ルーバー５により開度を調整可能な吹出口６が形成されている。
【００１１】
室内機本体３内には、エアフィルタ７と、このエアフィルタに付着した塵埃を取り除くフィルタ清掃装置８と、熱交換器９と、横流ファン１０と、吸排気ファン１１と、吸着体１２と、ドレンパン１３と、制御器１４とが配設されている。
【００１２】
また、室内機本体３と室外との間には、吸気ダクト１５と排気ダクト１６と２本の冷媒管１７、１８とが壁２を貫通して配管されている。なお、図２は各部品における空気の流れを理解するために模式的に表わしたもので、実際の各部品の室内機本体３内の配置とは若干異なっている。
【００１３】
エアフィルタ７は、室内機本体３の前面部と上面部との吸込口４に対向する位置に配置され、メッシュ状に形成されている。吸込口４から吸い込まれる空気中に塵埃が含まれている場合、この空気がエアフィルタ７を通過する過程で塵埃がエアフィルタ７により捕捉される。
【００１４】
熱交換器９は、室外に設置されている室外機（図示せず）の室外熱交換器との間を２本の冷媒管１７、１８を介して接続され、内部に冷媒が流れ、冷房運転状態と暖房運転状態とに切替可能に設けられている。熱交換器９は、冷房運転時には低温となって熱交換器９の周囲を流れる空気を冷却し、暖房運転時には高温となって熱交換器９の周囲を流れる空気を加熱する。
【００１５】
横流ファン１０は、長尺円筒形状に形成された貫流送風機であり、室内機本体３内の長手方向に沿って吸着体１２の長手方向と平行に設置される。すなわち、室内機１が壁２に取付けられた場合、室内機本体３内に設置された横流ファン１０は、横流ファン１０の長手方向が壁２と平行であって水平な方向に向けられている。横流ファン１０には、この横流ファン１０を回転駆動させるモータ１９が連結されている。横流ファン１０が駆動されることにより、室内の空気が吸込口４から室内機本体３内に吸い込まれ、吸い込まれた空気が熱交換器９の周囲を通過することにより冷却されて冷風となり、又は加熱されて温風となり、冷風又は温風が吹出口６から室内に吹き出す。
【００１６】
吸排気ファン１１には、この吸排気ファン１１を回転駆動させるモータ２０が連結されている。吸排気ファン１１が回転駆動されることにより、室外の空気が室内機本体３内に吸気され、また、この吸気された空気が室外に排気される。
【００１７】
室外からの空気の吸気は、室内機本体３と室外との間に壁２を貫通して配管された吸気ダクト１５を用いて行われる。室外への空気の排気は、室内機本体３と室外との間に壁２を貫通して配管された排気ダクト１６を介して行われる。
【００１８】
吸気ダクト１５は、吸着体１２に供給する空気を室外から吸気するものである。吸着体１２は、空気中の水分を吸着し、その後、高温にすることで吸着した水分を空気中に脱離する機能を有する。この吸着体１２は、図４及び図５に示すように、吸着板ユニット２１と保持体２２とにより構成されている。
【００１９】
吸着板ユニット２１は、長方形の板状に形成されて水分を吸着可能及び脱離可能な複数枚の吸着板２３を有し、これらの吸着板２３が面と面とを対向させてそれらの面と面との問に通風可能な隙間をもって連結されている。吸着板２３は、紙などを素材とする基板と、基板の表面に塗布されたゼオライト等の吸着材粒子とにより形成されている。吸着材は、低温（外気温）で水分を吸着し、高温になると吸着した水分を脱離する。
【００２０】
複数枚の吸着板２３の連結は、吸着板２３の長手方向の両端をリング状枠２４で固定することにより行われ、吸着板ユニット２１の外形形状は円柱状とされている。リング状枠２４には、吸着板２３と平行に配置された仕切板２５が固定されている。仕切板２５は、両端を一対のリング状枠２４の直径部分に固定され、吸着板２３を２つのグループに２分割すると共に、吸着板ユニット２１の補強を兼ねている。
【００２１】
仕切板２５の長手方向の側面中央部には、仕切板２５の長手方向に沿って外側向きに延びた回転軸２６が固定されている。
【００２２】
保持体２２は、吸着板ユニット２１を保持体２２内で回転軸２６の中心線回りに回転可能に保持している。保持体２２は、保持する吸着板ユニット２１における一部の吸着板２３の長手方向に沿った方向の外周部を気密に覆う第１カバー部２７と、保持する吸着板ユニット２１における他の一部の吸着板２３の長手方向の両端部を気密に覆う一対の第２カバー部２８とを有している。第１カバー部２７は、吸着板ユニット２１の周方向の約１８０度の範囲を覆う半円筒形に形成されている。第２カバー部２８は、半円状に形成されている。第２カバー部２８には、回転軸２６を回転可能に軸支する支持穴２９が形成されている。
【００２３】
吸着体１２には、空気が通風可能な第１空気通路３０と第２空気通路３１とが形成されている。第１空気通路３０は、第１カバー部２７と一部の吸着板２３とに囲まれて形成され、各吸着板２３の間を長手方向（図４に示す矢印Ａ方向）に空気が通風可能とされている。第２空気通路３１は、一対の第２カバー部２８と他の一部の吸着板２３とに囲まれて形成され、各吸着板２３の間を吸着板２３の長手方向と直交する方向（図４及び図１に示す矢印Ｂ方向）に空気が通風可能とされている。なお、第１空気通路３０と第２空気通路３１との間に仕切板２５が位置するようにして、空気が第１空気通路３０と第２空気通路３１との間を行き来することがないようにしている。
【００２４】
図２に示すように、吸着体１２が室内機本体３内に設置された場合、保持体２２が図示しない保持機構により保持され、回転軸２６には吸着板ユニット２１を回転軸２６の中心線回りに回転駆動させるモータ３２が減速機構３３を介して連結されている。減速機構３３は、複数のギアを噛み合わせることにより構成されている。
【００２５】
図１に示すように、ドレンパン１３は、冷房運転時において熱交換器９で発生するドレン水を受ける皿状の部材であり、横流ファン１０の中心線方向に沿った長尺形状に形成され、熱交換器９の下側に配置されている。
【００２６】
吸気ダクト１５は、上述したように、壁２を貫通して室内機本体３内と室外との間に配管され、室外空気は、このダクト１５を介して吸着体１２に供給される。
【００２７】
室内機本体３内に位置する吸気ダクト１５の一端は、ドレンパン１３の長手方向の一端側に連結されている。この連結は、図６に示すように、吸気ダクト１５がドレンパン１３の底面を貫通してドレンパン１３に固定、保持されることにより行われている。
【００２８】
ドレンパン１３の底面を貫通した吸気ダクト１５の先端側は、ドレンパン１３の底面より上方に突出している。ドレンパン１３の底面より上方に突出した吸気ダクト１５の先端には、室外から吸気される空気を吸着体１２の第１空気通路３０に導く通路３５が接続されている。通路３５は吸着体１２に向けて延出され、その先端部が吸着体１２の第１空気通路３０の一端側の入口３０Ａ（図２参照）に接続されている。
【００２９】
ドレンパン１３の長手方向の他端には、排気ダクト１６が固定、保持されている。この保持は、図６に示すように、排気ダクト１６がドレンパン１３の底面に設けられた円筒形の立上げ部６０に囲まれる貫通孔６１を貫通することにより行われている。
【００３０】
排気ダクト１６の室内機本体３内に位置する端部は、吸着体１２の第１空気通路３０の出口３０Ｂ（図２参照）に接続されている。
【００３１】
ところで、上記した吸気ダクト１５及び排気ダクト１６の壁２を貫通した屋外に位置する端部は図１〜図３に示すように隣接され、この隣接する端部側に対向する状態でフィルタ装置５１が設けられている。このフィルタ装置５１は図７に分解して示すように、円形状の回転体としての回転板５２を備えている。この回転板５２には一対の円形状の開口部５２ａ，５２ｂが穿設され、これら開口部５２ａ，５２ｂの一方にはメッシュ状のフィルタ５３が取り付けられている。このフィルタ５３は通常時は、吸気ダクト１５の開口端を塞ぐように位置している。
【００３２】
回転板５２の中央部には駆動モータ５５の駆動軸５５ａが接続、固定され、回転板５２は駆動モータ５５の駆動により定期的、例えば、１０日ごと等、に１８０度回転される。この回転によりフィルタ５３は排気ダクト１６の開口端側に対向され、この対向後、所定時間、吸排気ファン１１が運転され、その後、吸排気ファン１１が停止され、再度、回転板５２が１８０度回転されてフィルタ５３が初期位置、即ち、吸気ダクト１５の開口端側に対向する位置に移動されるようになっている。
【００３３】
また、排気ダクト１６の開口端側の前方部には、クリーニングブラシ５６が設けられ、フィルタ５３が排気ダクト１６の開口端側から吸気ダクト１５の開口端側に移動する際ににはクリーニングブラシ５６に摺接されるようになっている。
【００３４】
一方、上記した制御器１４は、室内機本体３内の制御対象物の制御を行う。
【００３５】
制御器１４には、図８に示すように、吸着体１２の吸着板ユニット２１を回転駆動させるモータ３２と、吸排気ファン１１を回転駆動させるモータ２０と、横流ファン１０を回転駆動させるモータ１９と、ルーバー５を駆動させるモータ４５と、回転板５２を回転駆動するモータ５５等と、温度センサ等の各種のセンサと、空気調和機の運転状態を操作するリモコン４６からの赤外線信号を受光する受光部４７が接続されている。リモコン４６には、使用者が操作する各種ボタン（冷房、暖房、加湿、運転／停止、設定温度、風量等）が配置され、それぞれのボタン操作がなされた場合、それぞれの操作内容に応じた赤外線信号が出力されるようになっている。
【００３６】
次に、加湿運転時における室内機１の動作について説明する。  
制御器１４は、リモコン４６から加湿開始の信号が入力された場合には、吸排気ファン１１を駆動させて室外の空気を吸気ダクト１５を通して吸気することにより加湿運転を開始させる。吸気ダクト１５から吸気される室外空気はフィルタ５３を介して吸気され、塵埃はフィルタ５３によって捕捉除去され、内部への侵入が防止される。そして、塵埃が除去された室外空気は、吸気ダクト１５内と通路３５内とを通って吸着体１２側へ流れる。この空気は、吸着体１２の入口３０Ａから吸着体１２の第１空気通路３０内に流入する。この空気が吸着体１２の第１空気通路３０内を流れる過程において、室外空気中の水分が第１空気通路３０内に位置する吸着板２３に吸着される。第１空気通路３０内を通過した空気は、水分が吸着板２３に吸着されることにより湿度が低下し、湿度が低下した状態で排気ダクト１６内を通って室外に排気される。
【００３７】
この加湿運転時には、予め設定された時間毎にモータ３２が駆動され、吸着板ユニット２１が回転軸２６の回りに約１８０度ずつ回転する。この回転により、回転前に第１空気通路３０内に位置して水分の吸着が行われた吸着板２３が第２空気通路３１内に移動し、また、回転前に第２空気通路３１内に位置していた吸着板２３が第１空気通路３０内に移動する。加湿運転が行われるのは暖房運転が行われる冬揚であり、第２空気通路３１には熱交換器９により加熱された温風の一部が図１の矢印Ｂで示す方向に流れている。
【００３８】
これにより、第２空気通路３１内に位置する吸着板２３が加熱されてこの吸着板２３から水分が脱離され、脱離された水分は横流ファン１０により熱交換器９側へ吸い込まれた後に吹出口６から室内に吹出し、室内が加湿されることになる。
【００３９】
ところで、上記した加湿運転が継続されると、吸気ダクト１５の開口端部を塞ぐフィルタ５３に塵埃が蓄積され、室外空気の吸気量が低下して加湿量が減少してしまう。このため、フィルタ５３は定期的に清掃してその塵埃が除去される。
【００４０】
次に、フィルタ５３の清掃動作について説明する。
【００４１】
この場合にはモータ５５によって回転板５２が１８０度回転される。この回転により回転板５２のフィルタ５３が吸気ダクト１５の開口端側から排気ダクト１６の開口端側に向かって移動し、排気ダクト１６の開口端に対向する。すなわち、フィルタ５３が吸気ダクト１５の開口端側に位置していた時には、吸い込み側となっていたフィルタの面が、フィルタ５３が排気ダクト１６の開口端側に位置すると、吹出し側に位置することになる。このとき、吸排気ファン１１が運転され、排気ダクト１６の開口端から空気が排気され、フィルタ５３の塵埃は排気ダクト１６の開口端の下流側に位置するため、排気動圧によってフィルタ５３から吹き飛ばされて除去される。塵埃が除去されたのちは、吸排気ファン１１が停止し、モータ５５によって回転板５２が再度１８０度回転され、フィルタ５３が排気ダクト１６の開口端側から吸気ダクト１５の開口端側に向かって移動し、吸気ダクト１５の開口端を閉塞するように対向する。これにより、吸気ダクト１５から吸気される室外空気は再度フィルタ５３を介して吸気されることになり、塵埃が捕捉除去される。
【００４２】
また、フィルタ５３が排気ダクト１６の開口端側から吸気ダクト１５の開口端側に向かって移動する際には、フィルタ５３の表面がクリーニングブラシ５６に摺接される。従って、フィルタ５３上に塵埃が一部残留していた場合であっても、クリーニングブラシ５６によって残留塵埃を除去でき、より確実な清掃が可能となる。
【００４３】
上記したように、この第１の実施の形態によれば、回転板５２を回転させるだけで、フィルタ５３の清掃を行なうことができ、従来のように複数に分岐される吸気経路と排気経路をダンパの切替動作によって切り替えて清掃を行なう場合に比較して構成的に簡略化できる利点を有する。
【００４４】
なお、フィルタ清掃装置８は、エアフィルタ７の表面に付着した塵埃を図示しないブラシを用いて取り除くもので、取り除かれた塵埃は、吸排気ファン１１の運転によってフィルタ清掃装置８から排気ダクト１６を介して屋外に排気される。なお、この第１の実施の形態においては、エアフィルタ７の表面に付着した塵埃を排気ダクト１６を介して屋外に排気しなければならないため、回転板５２の開口部５２ａ、５２ｂの一方にのみフィルタ５３を設けたが、このようなエアフィルタ７の塵埃の排気を行なわない場合には、回転板５２の開口部５２ａ，５２ｂの両方にそれぞれフィルタ５３を設けるようにしてもよい。
【００４５】
これによれば、回転板５２を１８０度回転させて一方のフィルタ５３を吸気ダクト１５の開口端側から排気ダクト１６の開口端側へ移動させたときには、他方のフィルタ５３が排気ダクト１６の開口端側から吸気ダクト１５の開口端側へ移動するため、フィルタ５３の清掃時においても吸気ダクト１５から吸気される室外空気中の塵埃を他方のフィルタ５３によって除去できる利点がある。
【００４６】
（第２の実施の形態）
図９は、本発明の第２の実施の形態である空気調和機の室内機１０１を示すものである。この空気調和機の室内機１０１は、その内部に室内空気を吸引し、室外に排気する換気装置として機能する給排気装置１１０を備えたものである。
【００４７】
この室内機１０１は、室内と室外とを仕切る壁１０２の内側面に取付けられる室内機本体１０３を有し、室内機本体１０３の前面部と上面部とには複数の吸込口１０４が形成されている。室内機本体１０３の下部には、ルーバー１０５により開度を調整可能な吹出口１０６が形成されている。
【００４８】
室内機本体１０３内には、エアフィルタ１０７と、熱交換器１０８と、空調用ファン１０９とが配置されている。
【００４９】
エアフィルタ１０７は、室内機本体１０３の前面部と上面部との内側に配置され、メッシュ状に形成されている。吸込口１０４から室内機本体１０３内に吸い込まれる空気中に塵埃が含まれている場合、この空気がエアフィルタ１０７を通過する過程で塵埃がエアフィルタ１０７により捕集される。
【００５０】
熱交換器８は、室外に配置されている室外機（図示せず）内に設けられている熱交換器に接続され、内部に冷媒が流れ、冷房運転と暖房運転とに切替可能に設けられている。冷房運転時には熱交換器１０８の周囲を流れる空気が冷却され、暖房運転時には熱交換器１０８の周囲を流れる空気が加熱される。
【００５１】
空調用ファン１０９は、長尺形状に形成された貫流（横流）ファンであり、一端にモータ（図示しない）が連結され、このモータにより回転駆動される。空調用ファン１０９が駆動されることにより、室内の空気が吸込口１０４から吸い込まれ、吸い込まれた空気が熱交換器１０８を通過して吹出口１０６から吹き出される。吹出口１０６から吹き出される空気は、冷房運転時には冷たい熱交換器１０８を流れることにより冷却されて冷風となり、暖房運転時には、暖かい熱交換器１０８を流れることにより加熱されて温風となる。
【００５２】
ところで、室内機本体１０３内の一側下部側には図１０にも示すように本願発明に係わる給排気装置１１０が設けられている。
【００５３】
給排気装置１１０は、排気ファン１１２と、この排気ファン１１２を収容するファンケーシング１１３を備えている。排気ファン１１２にはファンモータ１１４が連結されている。ファンケーシング１１３の吸込側には吸気ダクト１１５の一端部側が接続され、排出側には排気ダクト１１６の一端部側が接続されている。
【００５４】
吸気ダクト１１５の他端部側は、室内機本体１０３の側面部から室内に開口されている。排気ダクト１１６の他端部側は、室内機本体１０３内から壁１０２を貫通して室外に延び出している。
【００５５】
吸気ダクト１１５と排気ダクト１１６の中途部は隣接され、この中途部を横切るようにフィルタ装置１１７が設けられている。このフィルタ装置１１７は、図１１にも示すように回転板１１８を備え、この回転板１１８の外周面部にはギヤ１１９が形成され、このギヤ１１９には駆動ギヤ１２０が噛み合わされている。駆動ギヤ１２０にはモータ１２１のモータ軸１２１ａが接続されている。
【００５６】
回転板１１８の板面には、一対の円形状の開口部１１８ａ、１１８ｂが穿設され、これら開口部１１８ａ、１１８ｂの一方にはメッシュ状のフィルタ１２３が取り付けられている。フィルタ１２３は通常は吸気ダクト１１５を仕切るように位置し、この状態から回転板１１８が１８０度回転されることにより排気ダクト１１６を仕切る位置に移動されるようになっている。
【００５７】
次に、室内空気の排気動作について説明する。
【００５８】
この場合には、ファンモータ１１４により排気ファン１１２が駆動回転され、室内空気が吸気ダクト１１５から吸気される。この吸気された室内空気は、フィルタ１２３を通過することによりその塵埃が除去される。この除去後、室内空気は排気ファン１１２に吸い込まれたのち排気ダクト１１６を介して室外に排気される。この給排気が継続されると、フィルタ１２３に塵埃が蓄積され、給排気流量が減少してしまうため、フィルタ１２３は定期的に清掃してその塵埃を除去する必要がある。
【００５９】
次に、フィルタ１２３の清掃動作について説明する。
【００６０】
この場合にはモータ１２１の回転によって駆動ギヤ１２０が回転され、この駆動ギヤ１２０の回転により回転板１１８が１８０度回転される。この回転によりフィルタ１２３が吸気ダクト１１５から排気ダクト１１６に向かって移動し、排気ダクト１１６を仕切るように位置する。このとき、塵埃はフィルタ１２３の下流側に位置するため、排気ダクト１１６内を流れる室内空気がフィルタ１２３を通過することによりその排気動圧によって吹き飛ばされて除去される。この除去後、駆動ギヤ１２０の回転により回転板１１８が再度１８０度回転されて排気ダクト１１６から吸気ダクト１１５に向かって移動し、吸気ダクト１１５を仕切るように位置する。これにより、吸気ダクト１１５から吸気される室内空気中の塵埃は再度、フィルタ１２３によって除去される。
【００６１】
この第２の実施の形態によっても、上記した第１の実施の形態と同様の作用効果を奏する。
【００６２】
なお、この第２の実施の形態においては、回転板１１８の開口部１１８ａ、１１８ｂの一方のみにフィルタ１２３を設けたが、これに限られることなく、回転板１１８の開口部１１８ａ，１１８ｂの両方にそれぞれフィルタ１２３を設けるようにしてもよい。
【００６３】
これによれば、回転板１１８を１８０度回転させて一方のフィルタ１２３を吸気ダクト１１５から排気ダクト１１６へ移動させたときに、他方のフィルタ１２３が排気ダクト１１６から吸気ダクト１１５へ移動して吸気ダクト１１５を仕切るため、フィルタ１２３の清掃時においても他方のフィルタ１２３によって吸気ダクト１５から吸気される室外空気中の塵埃等を除去できる利点がある。
【００６４】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００６５】
【図１】本発明の第１の実施の形態である空気調和機の室内機を示す側断面図。
【図２】図１の室内機を示す平断面図。
【図３】図１の室内機の内部構成を示す斜視図。
【図４】図１の室内機内に設けられる吸湿体を示す斜視図。
【図５】図４の吸湿体を分解して示す斜視図。
【図６】図５の吸湿体に室外空気を送る吸気ダクト及び吸湿体を通過した室外空気を排気する排気ダクトを示す図。
【図７】図６の吸気ダクトから吸気される室外空気から塵埃を除去するフィルタ装置を示す分解斜視図。
【図８】図１の室内機の電気的接続構造を示すブロック図。
【図９】本発明の第２の実施の形態である空気調和機の室内機を示す側断面図。
【図１０】図９の室内機の一部を示す平断面図。
【図１１】図１の室内機の給排気装置に設けられるフィルタ装置を示す図。
【符号の説明】
【００６６】
１１，１１２…ファン、１５、１１５…吸気ダクト、１６，１１６…排気ダクト、５２，１１８…回転板（移動手段）、５３，１２３…フィルタ、５６…クリーニングブラシ。
【図１】
2008281238.tif 000003
【図２】
2008281238.tif 000004
【図３】
2008281238.tif 000005
【図４】
2008281238.tif 000006
【図５】
2008281238.tif 000007
【図６】
2008281238.tif 000008
【図７】
2008281238.tif 000009
【図８】
2008281238.tif 000010
【図９】
2008281238.tif 000011
【図１０】
2008281238.tif 000012
【図１１】
2008281238.tif 000013